(57)【要約】    【課題】この考案は、開封及び移動が簡単なバンド付き多層紙袋を提供する。     【解決手段】紙袋本体１１の一方に封緘用のバンド１３が貼着され、紙袋本体１１の他方が封緘部材により予め密封封緘されたバンド付き多層紙袋１０において、封緘部材に、該封緘部材を破断して前記バンド付き多層紙袋の他方を開封する開封手段３０を配設するとともに、封緘部材側の前記紙袋本体１１の表面に把持部２０を配設するようにした。  【選択図】  図２
0003127742.tif 000002
【実用新案登録請求の範囲】
【請求項１】
紙袋本体の一方に封緘用のバンドが貼着され、紙袋本体の他方が封緘部材により予め密封封緘されたバンド付き多層紙袋において、
前記封緘部材に、該封緘部材を破断して前記バンド付き多層紙袋の他方を開封する開封手段を配設するとともに、
前記封緘部材側の前記紙袋本体の表面に把持部を配設するようにしたことを特徴とするバンド付き多層紙袋。
【請求項２】
前記開封手段は開封テープであることを特徴とする請求項１に記載のバンド付き多層紙袋。
【請求項３】
前記把持手段は、前記紙袋本体の表面に補強紙を介して貼着された略コの字形状のバンドであることを特徴とする請求項１に記載のバンド付き多層紙袋。
【考案の詳細な説明】
【技術分野】
【０００１】
この考案は一方をバンドで縛って口部を封緘するようにしたバンド付き紙袋に関し、特に多層の紙袋から構成されたバンド付き多層紙袋に関する。
【背景技術】
【０００２】
一般に、２乃至３層からなる多層のクラフト紙、あるいは内層にポリ袋を配設した多層紙袋のうち、表面層の口部側に、その長手方向に沿ってバンドを貼着したバンド付き多層紙袋が従来から提供されている。
【０００３】
このバンド付き多層紙袋では、開口した口部から内容物を充填した後、バンドを含め当該口部を二回乃至は三回折り曲げ、その後、バンドを真結びして当該口部を封緘するようにしている。
【０００４】
図９は上述した従来のバンド付き紙袋１（以下単に紙袋１と言う）の概念斜視図で、特に米、お茶等の内容物を口部側２から多層枚の紙袋１内に詰め込んだ後、当該口部２側を三回折り曲げ、当該口部２に貼着されたバンド３を真結びして当該口部２側を封緘した状態を示している。なお、このようなバンド付き紙袋１では底部４は予め折り曲げられ、さらに封緘部材である底当て紙５により予め密封封緘されている。
【０００５】
一方、上述したバンド３により口部２を封緘した紙袋１から内容物（例えば米、お茶）を取り出すため、エンドユーザーは真結びしたバンド３を刃物で切断し、その後、口部２の折り曲げを解き、次に紙袋１を持ち上げて移動させ、内容物を例えばホッパー内に投入する作業が必要であった。
【考案の開示】
【考案が解決しようとする課題】
【０００６】
ところで、上述した従来のバンド付き紙袋１によると、エンドユーザーが口部を開封するためには真結びしたバンド３を刃物で切断し、さらに折り曲げた口部２の折り曲げを解く作業を行わねばならず、その作業が煩雑であるばかりでなく、例えば内容物としてお米を収容した場合は、その紙袋１の重量は約３０ｋｇ程度あり、そのため特にエンドユーザーが紙袋１を持ち上げ、ホッパー等の収容装置内に投入する等の移動作業は極めて重労働であり、また困難を伴う作業であった。
【０００７】
この考案は、上述した事情に鑑み、開封及び移動が簡単なバンド付き多層紙袋を提供する。
【課題を解決するための手段】
【０００８】
上述した課題を解決するため、この考案では、紙袋本体の一方に封緘用のバンドが貼着され、紙袋本体の他方が封緘部材により予め密封封緘されたバンド付き多層紙袋において、前記封緘部材に、該封緘部材を破断して前記バンド付き多層紙袋の他方を開封する開封手段を配設するとともに、前記封緘部材側の前記紙袋本体の表面に把持部を配設するようにしている。
【考案の効果】
【０００９】
上述した、バンド付き多層紙袋によると、真結びされたバンドを例えばクレーン等の機器を使用して持ち上げて移動し、その後、封緘部材に配設された開封手段を操作して破断すると、紙袋の他方が簡単に開封され、このため多層紙袋内に収容された内容物（例えばお米、お茶）は、簡単にホッパー等の収容装置内に収容することができ、このため、エンドユーザーに対する開封及び移動作業が極めて簡単なバンド付き多層紙袋を提供することが出来るとともに、前記封緘部材側の前記紙袋本体の表面に把持部を配設するようにしたから、オペレータが紙袋を移動させる際に、その把持部を把持して移動させることができ、このためオペレータによる紙袋の移動作業性も著しく向上する。
【考案を実施するための最良の形態】
【００１０】
以下、この考案に係る紙袋の一実施例を詳述する。
【００１１】
図１はこの考案に係るバンド付き多層紙袋１０（以下単に紙袋１０と言う）を示す正面図である。
【００１２】
この紙袋１０の紙袋本体１１はクラフト紙による二層の筒状体（チューブ体）から構成されたひだ付き紙袋である。
【００１３】
この紙袋本体１１の一方である口部１２はストレートカットされている。
【００１４】
一方、口部１２に隣接する紙袋本体１１の表面側１１ａには、その長手方向に沿って紙紐等で形成されたバンド１３が従来と同様に断面Ｕ字形状に折り曲げられた補強紙１４を介して予め貼着されている。
【００１５】
また、紙袋本体１１の他方である底部１５は封緘部材である底当て紙１６により予め密封封緘されている。
【００１６】
一方、紙袋本体１１の表面１１ａであって、前記底当て紙１６に隣接する部位には、オペレータが当該紙袋１０の持ち運びを容易にするための把持部２０が配設されている。
【００１７】
この把持部２０は、紙紐等で形成され、オペレータが手で紙袋１０を掴んで持ち運びやすいようにコの字形状に折り曲げ形成されたたバンド２１と、このバンド２１を紙袋本体１１の表面に貼着する矩形状の補強紙２２から構成されている。        
なお、上述したバンド２１は前記補強紙２２の裏面に塗布された図示せぬ接着剤により紙袋本体１１の表面１１ａに強固に固着されている。
【００１８】
一方、前述した底当て紙１６の一部には、紙袋本体１１の裏面１１ｂで示す図２のように、当該底当て紙１６をその長手方向に沿って破断することが出来る開封手段３０が形成されている。
【００１９】
なお、この開封手段３０３、実施例では開封テープ３０ａにより構成されている。なお、この開封テープ３０ａの存在位置を示すため、底当て紙１６には、その長手方向に沿って、一対のスリット１６ａが形成されている。
【００２０】
なお、図３は図１のＡＡ断面図で、図１及び図２と同一部分を同一符号で示している。
【００２１】
この図３から明らかなように、紙袋本体１１の外層１１ｃと内層１１ｄの各上部は所定の間隔で塗布された接着層１１ｅにより互いに接着され、また紙袋本体１１の外層１１ｃと内層１１ｄの各下部は開放を容易にするため互いに接着されない構造となっている。
【００２２】
また、図３で符号１４ａ，１４ｂは、補強紙１４とバンド１３を紙袋本体１１の表面１１ａに強固に貼着するための接着剤による接着層であり、また符号２１ａ，２１ｂは、把持部２０の補強紙２２とバンド２１とを紙袋本体１１の表面１１ａに強固に貼着する接着剤からなる接着層である。
【００２３】
また図３で符号３０ｂ，３０ｃは、底当て紙１６を紙袋本体１１の表面に強固に貼着するための接着剤からなる接着層である。
【００２４】
次に上述した、バンド付き多層紙袋１０の作用を説明し、併せて構成をより詳細に説明する。
【００２５】
まず、図３に示す位置から図４で示すように口部１２を大きく拡開させ、次に当該口部１２内に矢印Ｂで示すように、内容物、例えばお茶Ｒを投入する。
【００２６】
次に、図５で示すように、口部１２全体を二度ほど折り曲げて折り曲げ部４０を形成し、これにより口部１２を封緘する。
【００２７】
次に、上述した折り曲げ部４０から延出されたバンド１３を図６で示すように、各端部を真結びで結び、これによりハンド１３を締結する。
【００２８】
この状態で、紙袋１０をオペレータが持ち上げたり、抱えたりするときは、把持部２０のバンド２１を手で掴めは、その移動および持ち上げ等の各種作業の作業性が著しく向上することとなる。
【００２９】
一方、中身のお茶Ｒを取り出す際は、図７で示すように、図示せぬクレーン等の搬送手段のフック５０にバンド１３を係合させて、紙袋１０を矢印Ｃで示すように吊り上げる。
【００３０】
そして、ホッパー等が配置された位置に紙袋１０を移動させ、その後、開封手段３０の開封テープ３０ａを矢印Ｄで示すように引張り、底当て紙１６を破断すると、図８で示すように、紙袋本体１１の底部１５は容易に開封し、内容物であるお茶Ｒを矢印Ｅで示すように下方へ落下させ、ホッパー内に容易に投入することができることとなる。
【００３１】
なお、上記実施例では、二層のバンド付き多層紙袋１０としたが、層の数は上記実施例に限定されることなく、二層以上の多層のバンド付き多層紙袋に適用しても良く、また紙袋の形態もひだ付きのものに限らずひだなしのバンド付き多層紙袋に適用しても良い。
【００３２】
またさらに、上記実施例では、別部材としての封緘部材である底当て紙１６に開封手段３０を配設するようにしたが、この考案は上記実施例に限定されることなく、例えば底当て紙１６を使用することなく、いわゆる底ばり袋のように、紙袋本体の一端が封緘部材として一方（底部）を密封するタイプのものにも適用しても良く、要は一方（底部）を密封する封緘部材そのものに開封手段３０を適用すればよい。
【産業上の利用可能性】
【００３３】
以上のように、この考案は、開封及び移動が簡単なバンド付き多層紙袋に適している。 
【図面の簡単な説明】
【００３４】
【図１】図１はこの考案に係るバンド付き多層紙袋の正面図。
【図２】図２はこの考案に係るバンド付き多層紙袋の背面図。
【図３】図３は図１のＡＡ線断面図。
【図４】図４はこの考案に係るバンド付き多層紙袋の作用を示す断面図。
【図５】図５はこの考案に係るバンド付き多層紙袋の作用を示す断面図。
【図６】図６はこの考案に係るバンド付き多層紙袋の作用を示す断面図。
【図７】図７この考案に係るバンド付き多層紙袋の作用を示す概念斜視図。
【図８】図８はこの考案に係るバンド付き多層紙袋の作用を示す概念斜視図。
【図９】図９は従来のバンド付き多層紙袋を示す概念斜視図。
【符号の説明】
【００３５】
１０…バンド付き多層紙袋
１１…紙袋本体
１３…封緘用のバンド
２０…把持部
２１…バンド
２２…補強紙
３０…開封手段
３０ａ…開封テープ
【図１】
0003127742.tif 000003
【図２】
0003127742.tif 000004
【図３】
0003127742.tif 000005
【図４】
0003127742.tif 000006
【図５】
0003127742.tif 000007
【図６】
0003127742.tif 000008
【図７】
0003127742.tif 000009
【図８】
0003127742.tif 000010
【図９】
0003127742.tif 000011
【手続補正書】
【提出日】平成18年10月6日(2006.10.6)
【手続補正１】
【補正対象書類名】実用新案登録請求の範囲
【補正対象項目名】請求項３
【補正方法】変更
【補正の内容】
【請求項３】
前記把持部は、前記紙袋本体の表面に補強紙を介して貼着された略コの字形状のバンドであることを特徴とする請求項１に記載のバンド付き多層紙袋。